(57)【特許請求の範囲】
【請求項１】
基板に設けられる貫通孔内に裏面側へ張り出す状態で設置されて表面が人の操作を受ける操作面とされる浴室用操作装置であって、
前記基板の貫通孔内に当該基板の裏面側から遊嵌されるケースと、前記ケースに対して前記基板の表面側から着脱可能に結合される枠とを含み、これらケースと枠とで前記基板を挟む形態とされており、
前記ケースにおいて貫通孔に臨む表面が操作面とされ、前記枠が、前記ケースの操作面を露呈する開口窓と、前記枠の開口窓近傍に表面側に隆起する状態で設けられる隆起部とを有し、
前記隆起部が、開口窓の外周を囲むように輪状に形成されており、
前記輪状の隆起部の周方向少なくとも１ヶ所が、前記ケースの操作面と面一あるいは操作面よりも低くする形態に切欠かれて、排水溝とされている、ことを特徴とする浴室用操作装置。
【請求項２】
浴槽フランジに設けられる貫通孔内に下側へ吊り下げる状態で設置されて上面が人の押圧または回転操作を受ける操作面とされ、前記操作により浴室に付設される機器を動作させる浴室用操作装置であって、
前記浴槽フランジの貫通孔内に当該浴槽フランジの下面側から遊嵌されるケースと、前記ケースに対して前記浴槽フランジの上面側から着脱可能に結合される枠とを含み、これらケースと枠とで前記浴槽フランジを挟む形態とされており、
前記ケースにおいて貫通孔に臨む上面が操作面とされ、前記枠が、前記ケースの操作面を露呈する開口窓と、前記枠の開口窓近傍に上向きに隆起する状態で設けられる隆起部とを有し、
前記隆起部が、開口窓の外周を囲むように輪状に形成されており、
前記輪状の隆起部の周方向少なくとも１ヶ所が、前記ケースの操作面と面一あるいは操作面よりも低くする形態に切欠かれて、排水溝とされている、ことを特徴とする浴室用操作装置。
【請求項３】
請求項２の浴室用操作装置において、
前記機器が、浴槽に設置される排水口を開閉する排水栓とされ、
この排水栓と前記ケースとの間に排水栓を昇降させるためのワイヤが架設され、
前記ケース内に、前記操作面に対する人の操作に応答してワイヤを押し出したり引き込んだりするための駆動手段が水密状態で収納されている、ことを特徴とする浴室用操作装置。
【請求項４】
請求項３の浴室用操作装置において、
前記駆動手段が、ステッピングモータと、
前記操作面に対する人の操作に連動してオン・オフされるスイッチを有しかつ前記スイッチの操作に応じてステッピングモータの動作を制御する制御要素と、
下端に前記ワイヤの一端が連結されかつ前記ステッピングモータのロータの回転に伴い上下方向に直線移動させられてワイヤを押し出したり引き込んだりするスライド軸とを含む、ことを特徴とする浴室用操作装置。
【請求項５】
請求項１ないし４のいずれかの浴室用操作装置において、
前記ケースおよび枠が大小の円筒部材とされ、前記ケースの外周面と前記枠の内周面とに雄雌のねじが振り分けて設けられ、ケースに対して枠がねじにより結合される、ことを特徴とする浴室用操作装置。
【請求項６】
請求項１ないし４のいずれかの浴室用操作装置において、
前記ケースおよび枠が大小の円筒部材とされ、前記ケースの外周面と前記枠の内周面とに凹凸が振り分けて設けられ、ケースに対して枠を一方向周りに回転されたときに係合されて、他方向周りに回転されたときに離脱される形態で結合される、ことを特徴とする浴室用操作装置。
【請求項７】
請求項１ないし６のいずれかの浴室用操作装置において、
前記ケースの段部と基板あるいは浴槽フランジとの間に、圧縮状態のばねが介装されている、ことを特徴とする浴室用操作装置。
【発明の詳細な説明】
【０００１】
【発明の属する技術分野】
本発明は、浴槽のフランジなどに付設されて人により操作される浴室用操作装置に関する。
【０００２】
【従来の技術】
例えば、特開平１０−２１２７４７号公報に示すような排水栓装置や、特開平１−１２４１８６号公報に示すようなジェットバス装置などには、それらを動作させるための操作装置を装備している。
【０００３】
この操作装置は、浴槽フランジに対して下側に吊り下げる形態で設置されるが、具体的には、以下のような形態で設置されている。
【０００４】
まず、操作装置のケースを浴槽フランジの上側から、浴槽フランジの貫通孔に対して嵌入させて、このケースの上端に設けられる径方向外向きのフランジを浴槽フランジの上に引っ掛けることにより、ケースの上面を浴槽フランジの上面とほぼ面一にさせる。
【０００５】
次に、浴槽フランジの下面からナットをケースの外周面に対して螺合して、ナットを浴槽フランジの下面に対して当接させることにより、ナットとケースのフランジとで浴槽フランジを挟む形態で固定するようになっている。
【０００６】
【発明が解決しようとする課題】
上述した浴室用の操作装置では、下記するような不具合が指摘される。
【０００７】
一般的に、浴槽フランジの下側空間は、浴槽エプロンによって隠されているので、上記操作装置を着脱する場合には、浴槽エプロンを取り外すか、あるいは浴槽エプロンに設けられる点検窓の化粧蓋を取り外した状態において、浴槽フランジの下方空間に作業者が手を差し入れて、ナットを締め付けたり緩めたりする必要があり、作業者が身をかがめるなどして不自然な姿勢で作業しなければならず、施工性が悪いと言える。
【０００８】
また、ケースの上面には、排水栓の開閉を表す文字や、ジェットバスのオン・オフを表す文字が記載されているが、これらの文字は浴槽フランジの所定の方位を向くように配置する必要がある。
【０００９】
しかしながら、上述したような作業中の姿勢だと、作業者は、ケースを浴槽フランジの上方から見ることができないので、ケースの文字は、浴槽フランジのどの方位に向くかはナットを締め付けた後でしか確認できないことになる。これでは、ナットの締め付け作業を何度もやり直す必要があるので、通常は、まず、ナットを仮締めした状態で、上記文字が適正な方位に向くようにセットした後で、ナットをきつく締めるようにしなければならず、作業を単純に連続して行うことができないなど、結構面倒な作業となる。
【００１０】
このような事情に鑑み、本発明は、浴室用操作装置において、その着脱作業を簡易化できるようにすることを主たる目的としている。
【００１１】
【課題を解決するための手段】
本発明第１の浴室用操作装置は、基板に設けられる貫通孔内に裏面側へ張り出す状態で設置されて表面が人の操作を受ける操作面とされるもので、前記基板の貫通孔内に当該基板の裏面側から遊嵌されるケースと、前記ケースに対して前記基板の表面側から着脱可能に結合される枠とを含み、これらケースと枠とで前記基板を挟む形態とされており、前記ケースにおいて貫通孔に臨む表面が操作面とされ、前記枠が、前記ケースの操作面を露呈する開口窓と、前記枠の開口窓近傍に表面側に隆起する状態で設けられる隆起部とを有し、前記隆起部が、開口窓の外周を囲むように輪状に形成されており、前記輪状の隆起部の周方向少なくとも１ヶ所が、前記ケースの操作面と面一あるいは操作面よりも低くする形態に切欠かれて、排水溝とされている、ことを特徴としている。
【００１２】
本発明第２の浴室用操作装置は、浴槽フランジに設けられる貫通孔内に下側へ吊り下げる状態で設置されて上面が人の押圧または回転操作を受ける操作面とされ、前記操作により浴室に付設される機器を動作させるもので、前記浴槽フランジの貫通孔内に当該浴槽フランジの下面側から遊嵌されるケースと、前記ケースに対して前記浴槽フランジの上面側から着脱可能に結合される枠とを含み、これらケースと枠とで前記浴槽フランジを挟む形態とされており、前記ケースにおいて貫通孔に臨む上面が操作面とされ、前記枠が、前記ケースの操作面を露呈する開口窓と、前記枠の開口窓近傍に上向きに隆起する状態で設けられる隆起部とを有し、前記隆起部が、開口窓の外周を囲むように輪状に形成されており、前記輪状の隆起部の周方向少なくとも１ヶ所が、前記ケースの操作面と面一あるいは操作面よりも低くする形態に切欠かれて、排水溝とされている、ことを特徴としている。
【００１３】
本発明第３の浴室用操作装置は、上記第２の構成において、前記機器が、浴槽に設置される排水口を開閉する排水栓とされ、この排水栓と前記ケースとの間に排水栓を昇降させるためのワイヤが架設され、前記ケース内に、前記操作面に対する人の操作に応答してワイヤを押し出したり引き込んだりするための駆動手段が水密状態で収納されている、ことを特徴としている。
【００１４】
本発明第４の浴室用操作装置は、上記第３の構成において、前記駆動手段が、ステッピングモータと、前記操作面に対する人の操作に連動してオン・オフされるスイッチを有しかつ前記スイッチの操作に応じてステッピングモータの動作を制御する制御要素と、下端に前記ワイヤの一端が連結されかつ前記ステッピングモータのロータの回転に伴い上下方向に直線移動させられてワイヤを押し出したり引き込んだりするスライド軸とを含む、ことを特徴としている。
【００１５】
本発明第５の浴室用操作装置は、上記第１ないし第４のいずれかの構成において、前記ケースおよび枠が大小の円筒部材とされ、前記ケースの外周面と前記枠の内周面とに雄雌のねじが振り分けて設けられ、ケースに対して枠がねじにより結合される、ことを特徴としている。
【００１６】
本発明第６の浴室用操作装置は、上記第１ないし第４のいずれかの構成において、前記ケースおよび枠が大小の円筒部材とされ、前記ケースの外周面と前記枠の内周面とに凹凸が振り分けて設けられ、ケースに対して枠を一方向周りに回転されたときに係合されて、他方向周りに回転されたときに離脱される形態で結合される、ことを特徴としている。
【００１７】
本発明第７の浴室用操作装置は、上記第１ないし第６のいずれかの構成において、前記ケースの段部と基板あるいは浴槽フランジとの間に、圧縮状態のばねが介装されている、ことを特徴としている。
【００２１】
以上、第１の構成では、基板の裏面側からケースをあてがい、基板の表面側から枠をケースに対して結合することにより、枠とケースとで基板を挟む形態にしている。これにより、基板の表面側から枠を着脱できるようになり、無理な姿勢をとらずに作業できるようになる。また、浴室用操作装置の特に取り付け時に、取り付け状態を基板の表面側から見ながら作業できるようになる。
【００２２】
また、第２の構成では、浴槽フランジの下方からケースをあてがい、浴槽フランジの上方から枠をケースに対して結合することにより、枠とケースとで浴槽フランジを挟む形態にしている。これにより、浴槽フランジの上から枠を着脱できるようになり、無理な姿勢をとらずに作業できるようになる。また、浴室用操作装置の特に取り付け時に、取り付け状態を浴槽フランジの上から見ながら作業できるようになる。
【００２３】
また、第３や第４の構成のように、浴室用操作装置に排水栓を駆動するための駆動手段を組み込んでいれば、排水栓と操作装置と駆動手段とを含むユニット全体のコンパクト化が可能となる。
【００２４】
また、第５や第６の構成は、ケースと枠との結合の例を示すものであり、いずれも、作業が比較的単純かつ簡単に行えるようになる。
【００２５】
また、第７の構成では、枠とケースとでもって基板あるいは浴槽フランジを単純に挟むのではなく、ケースと基板あるいは浴槽フランジとの間にばねを介装させているから、基板あるいは浴槽フランジの厚みが大小異なる場合でも、操作装置をがたなく安定に取り付けることが可能となるなど、汎用性が向上する。
【００２６】
また、第１や第２の構成のように、枠に隆起部を設けていれば、ケースの操作面に対する人の誤操作が回避されるようになる。
【００２７】
また、第１や第２の構成のように、排水溝を設けていれば、輪状の隆起部内に湯水が流入してもそれを速やかに排水できるようになる。
【００２８】
【発明の実施の形態】
本発明の詳細を図面に示す実施の形態に基づいて説明する。この実施形態では、浴室用操作装置として排水栓の操作装置を例に挙げる。
【００２９】
図１ないし図６に本発明の一実施形態を示している。図１は、浴室における排水栓ユニットの設置状況を示す説明図、図２は、排水栓ユニットを模式的に示す図、図３は、排水栓ユニットの操作装置を詳細に示す断面図、図４は、操作装置の正面図、図５は、操作装置の上方を示す斜視図、図６は、操作装置の枠と上ケースとを分離した斜視図である。
【００３０】
図中、１は浴槽、２は排水口、３は排水栓ユニットである。排水栓ユニット３は、排水栓４と、操作装置５と、ワイヤ６とを備えており、操作装置５に対する人の操作に応答してワイヤ６を押し出したり引き込んだりして排水栓４を昇降させて排水口２を開閉させるような仕組みになっている。
【００３１】
排水栓４は、排水口２に昇降可能に設置されており、操作装置５は、浴槽１のフランジ１ａに対して吊り下げ状態で設置されており、ワイヤ６は、排水栓４と操作装置５との間に架設されている。ワイヤ６は、長手方向に剛性を有する線材からなり、ケーブル７内に長手方向に往復変位自在に収納されているとともに、鞘管８内に水密に収納されている。
【００３２】
次に、上述した排水栓ユニット３における操作装置５の構造や設置形態について、詳細に説明する。
【００３３】
操作装置５には、人により押圧操作される操作ボタン９が埋め込み設置されているとともに、下記する排水栓４の状態を示すＬＥＤ１７の光を上方に放出させてための透孔１０が設けられている。なお、前述の透孔１０には、透明な樹脂材などを充填してもよい。また、操作装置５の内部には、操作ボタン９の押圧操作に応答してワイヤ６を押し出したり引き込んだりするための駆動手段（符号省略）が組み込まれている。
【００３４】
この駆動手段は、ステッピングモータ１１と、制御回路基板１２とを備えている。
【００３５】
ステッピングモータ１１は、一般的に周知の構造であるが、回転自在にかつ軸方向変位不可能に支持されるロータ１１ａを有している。このロータ１１ａの中心のねじ孔に対して、外周面の所要領域に雄ねじを設けたスライド軸１３が螺合されている。このスライド軸１３の下端には、カップリング１４を介してワイヤ６の一端が連結されている。このスライド軸１３は、ガイドバー１５により回転不可能で軸方向のみ変位可能とされており、ロータ１１ａが回転したときに、上下方向に直線的に移動する。つまり、ロータ１１ａとスライド軸１３とのねじ結合による送り作用でもってスライド軸１３を上下方向に直線移動させるようになっている。
【００３６】
制御回路基板１２は、操作ボタン９に対する人の押圧操作に応じてステッピングモータ１１の動作を制御するものであり、操作ボタン９に対する人の押圧操作に連動してオン・オフされるスイッチ１６と、透孔１０の下端に設置されて前記排水栓４の開閉状態に応じて点灯、消灯されるＬＥＤ１７とが装備されている。
さらに、この制御回路基板１２には、ステッピングモータ１１の信号線１８と、図示しない給湯器本体からの電源供給を受けるとともに給湯器本体からの制御信号を受信する一方で給湯器本体へ状態信号を送信する信号線１９とがコネクタにより着脱自在に接続されるようになっている。
【００３７】
次に、操作装置５の筐体構造について説明する。操作装置５の筐体としては、上ケース２１と、下ケース２２と、枠２３とが用いられている。
【００３８】
まず、上下のケース２１，２２は、円筒形状に形成されており、互いにボルトによりフランジ結合されている。上ケース２１は、その上端が閉塞されていて下端が開口されており、下ケース２２は、その上下両端が開口されている。この上ケース２１の上半分は小径に、また、下半分は大径に形成されており、小径部分２１ａの外周面には、雄ねじが形成されている。下ケース２２の下端開口には、有底円筒形のカップ２４が装着されている。カップ２４の下端中心には、上記駆動手段のスライド軸１３が挿通される貫通孔２４ａが設けられている。
【００３９】
枠２３は、円筒部２３ａの上端に、径方向内向きに突出する内向きフランジ２３ｂと、径方向外向きに突出する外向きフランジ２３ｃを設けた形状である。この枠２３の円筒部２３ａの内周面には、雌ねじが形成されており、この枠２３が上ケース２１の外周に対して螺合装着される。このように、枠２３を上ケース２１に対して装着した状態では、枠２３の下端が上ケース２１の小径部２１ａの端面２１ｅに対して受け止められるとともに、枠２３の円筒部２３ａの外周面が上ケース２１の小径部２１ａの外周面と面一となる。
【００４０】
そして、上ケース２１に対して上述した操作ボタン９やＬＥＤ１７が埋め込み設置されており、上下のケース２１，２２内に対して上述した駆動手段（符号省略）を構成する各要素が水密状態で収納されている。
【００４１】
なお、操作ボタン９と透孔１０の上下両端は、上ケース２１の上下両端面に露出している。
【００４２】
また、操作装置５を水密状態とするために、上ケース２１と下ケース２２のフランジ結合部位や下ケース２２とカップ２４との結合部位にＯリング３１，３２を介装するとともに、カップ２４の貫通孔２４ａとスライド軸１３との間に２つのＯリング３３，３４を装着し、さらに、上ケース２１の上端面に対して操作ボタン９や透孔１０を覆う円形薄板３５を貼着し、上ケース２１の上端面の露出部分を気密にしている。この円形薄板３５には、操作ボタン９の位置を示すマーク、該操作ボタン９の機能を示す文字、排水栓４の開閉時に点滅、点灯するＬＥＤ１７の位置を示すマークが記載されている。この円形薄板３５におけるマークや文字を外部に露呈するために、枠２３の上端開口窓は、図５や図６に示すように、あたかも蝶々が羽を広げたような形状に形成されている。
【００４３】
また、上記下ケース２２の下端には、円筒形状の膨出部２２ａが設けられており、この膨出部２２ａに、上述した信号線１９を挿通するための貫通孔２２ｂが設けられている。この貫通孔２２ｂと信号線１９との間には、若干の隙間が生じるので、この隙間については弾性リング２５を用いて密封するようにしている。
詳しくは、下ケース２２の膨出部２２ａから外部に突出する信号線１９に対して弾性リング２５をはめ込み、この弾性リング２５に対して袋ナット２６を外嵌して、この袋ナット２６を膨出部２２ａに対して螺合装着する。このようにすると、袋ナット２６を締め込むことに伴い、弾性リング２５がその中心軸線方向に弾性圧縮されることになり、それによって袋ナット２６の内周に嵌入されてある弾性リング２５が径方向内向きに膨張することになって、信号線１９を締め付けることになり、これで信号線１９と貫通孔２２ｂとの間の隙間が塞がれることになるのである。
【００４４】
さらに、下ケース２２の外周面における所定位置には、上下のケース２１，２２の内部空間の気密試験を行うための気密試験ノズル２７が設けられている。この気密試験では、気密試験ノズル２７を通じて上下のケース２１，２２の内部空間と図示しない気密試験器とを連通連結させた状態で、内部空間に所定の空気圧をかけておいて、その圧力が低下するか否かを調べるものである。この気密試験が終わると、気密試験ノズル２７は、ねじ２８などにより閉塞される。
【００４５】
また、上記枠２３の上端開口窓の外周における２ヶ所でほぼ１２０度の角度範囲には、山形に隆起する隆起部２３ｄ，２３ｄが設けられている。この隆起部２３ｄは、入浴者などが誤って操作ボタン９を触れにくくするためのものである。
ここで、隆起部２３ｄを周方向に連続する輪状に形成すれば、誤操作を防止するうえで有利となるが、隆起部２３ｄを輪状とした場合だと、その内周部分に湯水が溜まったままになるおそれがあるが、上述したように、周方向に不連続で２つの隆起部２３ｄを設ける形態にしていれば、各隆起部２３ｄの間の切欠き部分が排水溝となり、枠２３の上端開口窓のところに湯水が溜まったままになるということを防止するうえで有利となる。
【００４６】
ところで、上述した駆動手段のスライド軸１３を上下方向に移動させるときに上限停止位置や下限停止位置を制御するために、スライド軸１３の下端側にマグネット３６を固定しているとともに、カップ２４の内周面の上下所要位置に対してホール素子などの近接センサ３７，３８を振り分けて設けている。マグネット３６は、ガイドバー１５により回り止めされるとともに、上下動作がガイドされるようになっている。
【００４７】
次に、上記操作装置５の設置形態について説明する。なお、この実施形態の操作装置５では、その設置時にコイルバネ２９を用いている。その理由は、操作装置５の設置対象となる浴槽１は、仕様によってフランジ１ａの厚みが図３中の実線と仮想線で示すように、大小異なる場合があるので、どのような厚みであっても操作装置５の枠２３や上ケース２１の仕様を変更することなく、がたのない状態で取り付け可能とするためである。
【００４８】
まず、上ケース２１の大径部２１ｂの外周に対してコイルバネ２９を嵌めた状態で、この上ケース２１を浴槽１のフランジ１ａに設けられてある貫通孔１ｂに対して、浴槽１のフランジ１ａの下方から隙間を持つ状態に嵌入させる。このとき、コイルバネ２９の下端は、上ケース２１の大径部２１ｂとフランジ２１ｃとの間の段部２１ｄに対して、また、コイルバネ２９の上端は、浴槽１のフランジ１ａの下面に対してそれぞれ当接される。
【００４９】
この状態において、上ケース２１と浴槽１のフランジ１ａの貫通孔１ｂとの間の隙間に対して浴槽１のフランジ１ａの上方から枠２３を差し入れてから、この枠２３を回すことにより枠２３を上ケース２１の小径部２１ａに対して螺合させることにより結合する。これにより、上ケース２１で受け止められかつ上端が浴槽１のフランジ１ａの下面に対して当接されたコイルバネ２９が圧縮された状態になるので、その伸張復元力でもって、枠２３の外向きフランジ２３ｃが浴槽１のフランジ１ａの上面において貫通孔１ｂの周囲に対して押し当てられることになる。このとき、上ケース２１において、小径部２１ａと大径部２１ｂとの間の段部は、浴槽１のフランジ１ａに対して非接触となっている。なお、コイルバネ２９を用いなくてもよいが、その場合には、上ケース２１において、小径部２１ａと大径部２１ｂとの間の段部が浴槽１のフランジ１ａに対して直接的に当接することになり、結局、枠２３の外向きフランジ２３ｃと上ケース２１の前記段部とでもって浴槽１のフランジ１ａを上下から挟む形態となる。
【００５０】
このように、浴槽１のフランジ１ａの上面に対して枠２３の外向きフランジ２３ｃを直接的に当接させる一方で、浴槽１のフランジ１ａの下面に対して上ケース２１をコイルバネ２９を介して間接的に当接させることにより、枠２３と上ケース２１に付設するコイルバネ２９とでもって浴槽１のフランジ１ａを挟む形態としている。これにより、操作装置５の全体が浴槽１のフランジ１ａに対して吊り下げた状態で取り付けられるようになっている。
【００５１】
ちなみに、浴槽１のフランジ１ａの厚みが図３の実線で示すように厚い場合だと、コイルバネ２９の圧縮量が増えて、上ケース２１において小径部２１ａと大径部２１ｂとの間の段部から浴槽１のフランジ１ａの下面までの隙間が小さくなる一方、浴槽１のフランジ１ａの厚みが図３の仮想線で示すように薄い場合だと、コイルバネ２９の圧縮量が減って、上ケース２１において小径部２１ａと大径部２１ｂとの間の段部から浴槽１のフランジ１ａの下面までの隙間が大きくなる。このようにして、コイルバネ２９が浴槽１のフランジ１ａにおける厚みの大小を吸収するようになっている。
【００５２】
以上説明したような形態であれば、操作装置５を設置するときに、枠２３を浴槽１のフランジ１ａの上方から装着することができるので、従来例のように作業者が無理な姿勢をとらずに済み、楽に作業できるようになる。このように作業姿勢を無理の無い自然な姿勢にできれば、作業者が枠２３を装着するときに、上ケース２１の円形薄板３５上に記載しているマークや文字を作業者が真上から見ることができて、これらのマークや文字を所定の方位に位置決めすることが簡単に行えるようになる。
【００５３】
また、枠２３の外向きフランジ２３ｃと上ケース２１とでもって浴槽１のフランジ１ａを単純に挟むのではなく、上ケース２１と浴槽１のフランジ１ａとの間にコイルバネ２９を介装させているから、浴槽１の種類に応じてフランジ１ａの厚みが大小異なる場合でも、操作装置５を取り付けることができるなど、汎用性に優れたものとなっている。この場合、浴槽１のフランジ１ａの厚みに応じてコイルバネ２９の圧縮度合いが変わるだけで、上ケース２１に対する枠２３の締め込み量は常に一定で済むなど、作業者の手間や労力は常に不変となって作業性が向上する点で優れたものとなる。
【００５４】
また、上ケース２１を浴槽１のフランジ１ａの下面に対して非接触にさせていることが、次のような効果をもたらす。つまり、浴槽１は、ＦＲＰなどを用いて製作される場合、そのフランジ１ａの下面が不揃いにでこぼこしているが、このような浴槽１のフランジ１ａを従来例のようにケースと枠で直接的に挟む形態にしている場合、フランジ１ａの下面のでごぼこによって枠が斜めに浮き上がった状態で取り付けられてしまうおそれがある。しかし、上記実施形態のようにコイルバネ２９を用いる構造であれば、コイルバネ２９が前記でこぼこを吸収することになって、前述したような不具合の発生を回避できるようになる。
【００５５】
なお、本発明は上記実施形態のみに限定されるものではなく、いろいろな応用や変形が考えられる。
【００５６】
（１）上記実施形態において、枠２３の上端開口窓については、図７および図８に示すように、円形に形成することができる。この場合、上ケース２１に対する枠２３の結合時に、周方向で位置決めさせていなくても、必ず、枠２３の上端開口窓から上ケース２１の円形薄板３５のマークや文字が露呈することになる。
したがって、上ケース２１に対して枠２３を結合するときに、枠２３を周方向に位置決めさせて固定するための工夫が全く不要になる点で有利となる。この場合、枠２３の上端開口窓の外周に輪状に連続する山形の隆起部２３ｄを設けているが、この隆起部２３ｄについては、上記実施形態で説明したように、周方向の少なくとも１ヶ所を上ケース２１の上端面と面一あるいは低くする形態に切欠いて、排水溝とすることもできる。
【００５７】
（２）上記実施形態において、上ケース２１と枠２３との結合については、図９に示すように、凹凸の係合により行う形態とすることができる。すなわち、上ケース２１における小径部２１ａの外周面の円周少なくとも２ヶ所にはＬ字形の凹溝２１ｆを、また、枠２３における円筒部２３ａの内周面の円周少なくとも２ヶ所には凸部２３ｅを、それぞれ設けている。そして、枠２３を上ケース２１と浴槽１のフランジ１ａにおける貫通孔１ｂとの間の隙間に差し入れると同時に、枠２３の凸部２３ｅを上ケース２１の凹溝２１ｆの縦溝に対して嵌め入れてから、枠２３を下向きに押し込み、その後、枠２３を周方向一方へ回すことにより、枠２３の凸部２３ｅを上ケース２１の凹溝２１ｆの横溝に対して嵌め込む。これにより、枠２３を上ケース２１に対して結合できるようになる。この例では、上ケース２１に対して枠２３を、必ず周方向に位置決めした状態で取り付けることができるから、枠２３の上端開口から、上ケース２１の円形薄板３５のマークや文字を確実に露呈させるうえで有利となる。
【００５８】
（３）上記実施形態では、操作装置５を浴槽１のフランジ１ａに設置していたが、浴槽１の周辺部位、例えば浴室カウンタ１ｄの天板１ｅなどに設置してもよい。
【００５９】
（４）上記操作装置５は、排水栓ユニット３の他、詳細に説明しないが、例えばジェットバス装置の操作装置としても応用することができる。
【００６０】
【発明の効果】
請求項１の発明では、基板の裏面側からケースをあてがい、基板の表面側から枠をケースに対して結合することにより、枠とケースとで基板を挟む形態とすることにより、基板の表面側から枠を着脱できるようにしているから、作業者が無理な姿勢をとらずに作業できるようになり、施工性が向上する。しかも、浴室用操作装置の特に取り付け時に、取り付け状態を基板の表面側から見ながら作業できるようになるから、枠またはケースの操作面を特定の方位に位置決めする必要があるときなどに作業しやすいなど、施工性が向上する。
【００６１】
請求項２の発明では、浴槽フランジの下方からケースをあてがい、浴槽フランジの上方から枠をケースに対して結合することにより、枠とケースとで浴槽フランジを挟む形態にすることにより、浴槽フランジの上から枠を着脱できるようにしているから、作業者が無理な姿勢をとらずに作業できるようになり、施工性が向上する。しかも、浴室用操作装置の特に取り付け時に、取り付け状態を浴槽フランジの上から見ながら作業できるようになるから、枠またはケースの操作面を特定の方位に位置決めする必要があるときなどに作業しやすいなど、施工性が向上する。
【００６２】
特に、請求項２の発明を前提にして、請求項３や請求項４の発明のように、浴室用操作装置に排水栓を駆動するための駆動手段を組み込んでいれば、排水栓と操作装置と駆動手段とを含むユニット全体のコンパクト化が可能となり、設置施工性やメンテナンス性が向上するとともに、コストの低減を図ることができる。
【００６３】
また、請求項５や請求項６の発明は、ケースと枠との結合の例を示すものであり、いずれも、作業が比較的簡単に行え、作業者の負担を軽減するうえで有利となる。
【００６４】
また、請求項７の発明では、枠とケースとでもって基板あるいは浴槽フランジを単純に挟むのではなく、ケースと基板あるいは浴槽フランジとの間にばねを介装させているから、基板あるいは浴槽フランジの厚みが大小異なる場合でも、操作装置をがたなく安定に取り付けることができるなど、汎用性が向上する。
【００６５】
また、請求項１や請求項２の発明のように、枠に隆起部を設けていれば、人がケースの操作面を誤って操作することが起きにくくなるなど、使い勝手が向上する。
【００６６】
また、請求項１や請求項２の発明のように、排水溝を設けていれば、輪状の隆起部内に湯水が流入してもそれを速やかに排水できるようになるなど、湯水が溜まる心配がなくなる。
【図面の簡単な説明】
【図１】本発明の一実施形態で、浴室における排水栓ユニットの設置状況を示す説明図
【図２】排水栓ユニットを模式的に示す図
【図３】排水栓ユニットの操作装置を詳細に示す断面図
【図４】操作装置の正面図
【図５】操作装置の上方を示す斜視図
【図６】操作装置の枠と上ケースとを分離した斜視図
【図７】本発明の他の実施形態で、図４に対応する図
【図８】図７の操作装置の枠と上ケースとを分離した斜視図
【図９】操作装置の枠と上ケースとの結合形態の変形例を示す斜視図
【符号の説明】
１      浴槽
１ａ    浴槽のフランジ
１ｂ    フランジの貫通孔
２      排水口
３      排水栓ユニット
４      排水栓
５      操作装置
６      ワイヤ
９      操作ボタン
１１      ステッピングモータ
１１ａ    ステッピングモータのロータ
１２      制御回路基板
１３      スライド軸
２１      操作装置の上ケース
２２      操作装置の下ケース
２３      操作装置の枠
２９      操作装置のコイルバネ
【図１】
0004568993.tif 000002
【図２】
0004568993.tif 000003
【図３】
0004568993.tif 000004
【図４】
0004568993.tif 000005
【図５】
0004568993.tif 000006
【図６】
0004568993.tif 000007
【図７】
0004568993.tif 000008
【図８】
0004568993.tif 000009
【図９】
0004568993.tif 000010